(57)【要約】  切欠部２３ａが形成され、カートリッジ５を載置するカートリッジ載置位置から載置されたカートリッジ５に収納されたディスクＤ１の再生記録を行うディスク再生位置までを移動するトレイ２と、トレイ２に向かって回転自在に支持されたアーム部材３１と、このアーム部材３１に設けられ、このアーム部材３１の回転により切欠部２３ａに入り込むトレイ移動規制手段でもある押さえピン３２と、押さえピン３２をこのトレイ２に向かう方向に回転させるトレイ移動手段と連結された回転ピン３３とからなるカートリッジ押さえ装置３とを備える。押さえピン３２は、ディスク再生位置時に切欠部２３ａに入り込み、カートリッジ５と接触する。カートリッジ押さえ装置により、カートリッジのトレイに対する移動およびトレイのディスク装置に対する移動を抑制することができるディスク装置を提供すること。
2007058166.tif 000002
【特許請求の範囲】
【請求項１】
少なくともカートリッジ（５）に収納されたディスク（Ｄ１）に記録された情報の再生あるいは当該ディスク（Ｄ１）への情報の記録の少なくともいずれか一方を行うディスク装置（１−１；１−２；１−３；１−４；１−５）において、
切欠部（２３ａ，２３ｂ，２３ｄ，２６ａ，２７）が形成され、前記カートリッジ（５）を載置するカートリッジ載置位置から当該載置されたカートリッジ（５）に収納されたディスク（Ｄ１）の再生記録を行うディスク再生位置までを移動するトレイ（２）と、
前記ディスク再生位置時に当該カートリッジ（５）をカートリッジ載置側から押圧するカートリッジ押さえ装置（３，６）と、
前記カートリッジ押さえ装置（３，６）による前記カートリッジ（５）の押圧に伴って、前記切欠部（２３ａ，２３ｂ，２３ｄ，２６ａ，２７）に入り込み、当該切欠部（２３ａ，２３ｂ，２３ｄ，２６ａ，２７）の前記トレイ（２）の移動方向における両壁面に対向するトレイ移動規制手段（３２，３５，４５，６２）と、
を備えることを特徴とするディスク装置（１−１；１−２；１−３；１−４；１−５）。
【請求項２】
前記トレイ（２）は、前記カートリッジ載置位置から前記ディスク再生位置まで、カートリッジ（５）に収納されていないディスク（Ｄ２）を載置して移動することができ、
前記カートリッジ押さえ装置（３，６）は、前記トレイ（２）にカートリッジ（５）に収納されていないディスク（Ｄ２）が載置されている場合における前記ディスク再生位置時に、当該トレイ（２）を前記カートリッジ載置側から押圧することを特徴とする請求項１に記載のディスク装置（１−１；１−２；１−３；１−４；１−５）。
【請求項３】
前記トレイ移動規制手段（３２）は、前記カートリッジ押さえ装置（３）による前記カートリッジ（５）の押圧に伴って、前記切欠部（２３ｂ）に入り込み、当該切欠部（２３ｂ）の前記ディスク再生位置側の壁面（２３ｃ）を前記カートリッジ載置位置側から当該ディスク再生位置側に押圧することを特徴とする請求項１または２に記載のディスク装置（１−２）。
【請求項４】
前記トレイ（２）に前記カートリッジ載置位置から前記ディスク再生位置までを移動させるトレイ移動手段をさらに備え、
前記トレイ移動規制手段（３２，３５，４５，６２）は、前記トレイ移動手段により、前記トレイ（２）の移動に連動して、前記切欠部（２３ａ，２３ｂ，２３ｄ，２６ａ，２７）に入り込むことを特徴とする請求項１〜３のいずれか１つに記載のディスク装置（１−１；１−２；１−３；１−４；１−５）。
【請求項５】
前記切欠部（２３ａ，２３ｂ）は、前記トレイ（２）のカートリッジ載置側に突出する押さえ用リブ（２３）に、その深さが前記トレイ（２）に載置されたカートリッジ（５）までの深さよりも深く形成されており、
前記カートリッジ押さえ装置（３）は、
前記トレイ（２）の側面に対向する位置に配置され、当該トレイ（２）に向かって回転自在に支持されたアーム部材（３１）と、
前記アーム部材（３１）に設けられ、当該アーム部材（３１）の回転により切欠部(２３ａ，２３ｂ)に入り込む押さえピン（３２）と、
前記押さえピン（３２）を前記トレイ（２）に向かう方向に回転させるアーム回転手段（３３）と、
を備え、前記トレイ移動規制手段が前記押さえピン（３２）であることを特徴とする請求項１〜４のいずれか１つに記載のディスク装置（１−１；１−２）。
【請求項６】
前記切欠部（２６ａ）は、前記トレイ（２）のカートリッジ載置側と反対側に形成されており、
前記カートリッジ押さえ装置（３）は、
前記トレイ（２）の側面に対向する位置に配置され、当該トレイ（２）に向かって回転自在に支持されたアーム部材（３１）と、
前記アーム部材（２６ａ）に設けられ、当該アーム部材（３１）の回転により回転する押さえピン（３２）と、
前記押さえピン（３２）を前記トレイ（２）に向かう方向に回転させるアーム回転手段（３３）と、
を備え、前記トレイ移動規制手段が、前記アーム部材（３１）に設けられ、当該アーム部材（３１）の回転により前記切欠部（２６ａ）に入り込む規制ピン（３５）であることを特徴とする請求項１〜４のいずれか１つに記載のディスク装置（１−４）。
【発明の詳細な説明】
【技術分野】
【０００１】
本発明は、ディスク装置に関し、さらに詳しくは、カートリッジに収納されたディスクに記録された情報の再生あるいは当該ディスクへの情報の記録の少なくともいずれか一方を行うディスク装置に関するものである。
【背景技術】
【０００２】
ディスク装置には、カートリッジに格納されていないディスク（以下、単に「ベアディスク」と称する）のみならず、カートリッジに格納されているディスクに記録された情報の再生あるいは当該ディスクへの情報の記録の少なくともいずれか一方を行うものがある。このようなカートリッジ対応型のディスク装置では、カートリッジをトレイに載置して、このトレイがカートリッジ載置位置からディスク再生位置まで移動することで、カートリッジをディスク装置に搬入する。そして、搬入されたカートリッジに収納されたディスクを回転させ、このディスクに対して再生あるいは記録を行う。従って、このようなカートリッジに対応するディスク装置では、ディスクの回転中にカートリッジの移動をできる限り抑える必要がある。これは、ディスクとカートリッジとのクリアランスを確保するためである。ここで、ディスクは、ターンテーブルにクランプされることで、ディスク装置に対する位置決めが行われ、このディスク装置に対する移動が抑制されている。【０００３】
従来のディスク装置では、カートリッジをトレイに押圧するカートリッジ押さえ装置が備えられている。このカートリッジ押さえ装置は、トレイがディスク再生位置に位置した時に、トレイに載置されたカートリッジをカートリッジ載置側から押圧するものである。従って、従来のディスク装置は、この押さえ装置によりカートリッジをトレイに対して押さえつけ、このカートリッジのトレイに対する移動を抑制していた。【０００４】
ところで、トレイは、ディスク装置に搬出入するために、トレイの移動方向に配置された複数のガイド部材によりディスク装置に対して移動可能に支持されている。従って、ディスク再生位置に位置したトレイが、この複数のガイド部材とのクリアランスのために、ディスクに対して移動する虞がある。つまり、カートリッジ押さえ装置により、カートリッジのトレイに対する移動を抑制しても、トレイのディスク装置に対する位置決めが行われ、トレイのディスク装置に対する移動が抑制されなければ、ディスクの回転中にカートリッジの移動を効果的に抑制することができない。そこで、従来のディスク装置では、例えば特許文献１に示すように、トレイのディスク装置に対する移動を抑制することができる技術が提案されている。【０００５】
この特許文献１に示す従来のディスク装置は、カートリッジが載置されたトレイがディスク装置に搬入されることで、このトレイおよびチャックプレートがカム機構により、ベース部材に向かって下降する。このとき、ベース部材のカートリッジ受けは、トレイの孔に挿入され、その先端がカートリッジのカートリッジ載置側と反対側に形成された孔と嵌合する。また、チャックプレートのばねがカートリッジをカートリッジ載置側から押圧する。これにより、この従来のディスク装置は、このカートリッジのトレイに対する移動の抑制とトレイのディスク装置、すなわちベース部材に対する移動の抑制を同時に行うことができる。【０００６】
【特許文献１】特開平８−７４６６号公報
【発明の開示】
【発明が解決しようとする課題】
【０００７】
しかしながら、上記特許文献１に示すようなディスク装置では、カートリッジ押さえ装置ではないトレイとチャックプレートを昇降させるためのカム機構が必要となり、ディスク装置の部品点数が増加し、複雑となるという問題がある。また、トレイとチャックプレートを昇降させるために、ディスク装置の厚さ方向のスペースを確保する必要があり、小型化を図ることができないという問題がある。【０００８】
この発明は、上述した課題をその一例として解決するものであって、カートリッジ押さえ装置により、カートリッジのトレイに対する移動およびトレイのディスク装置に対する移動を抑制することができるディスク装置を提供することを目的とする。
【課題を解決するための手段】
【０００９】
本発明の請求項１に記載のディスク装置は、少なくともカートリッジに収納されたディスクに記録された情報の再生あるいは当該ディスクへの情報の記録の少なくともいずれか一方を行うディスク装置において、切欠部が形成され、前記カートリッジを載置するカートリッジ載置位置から当該載置されたカートリッジに収納されたディスクの再生記録を行うディスク再生位置までを移動するトレイと、前記ディスク再生位置時に当該カートリッジを当該カートリッジ載置側から押圧するカートリッジ押さえ装置と、前記カートリッジ押さえ装置が前記カートリッジを当該カートリッジ載置側から押圧する際に、前記切欠部に入り込み、当該切欠部の前記トレイの移動方向における壁面と対向するトレイ移動規制手段と、を備えることを特徴とする。
【発明の効果】
【００１０】
本発明にかかるディスク装置は、カートリッジ押さえ装置により、カートリッジのトレイに対する移動およびトレイのディスク装置に対する移動を抑制することができるという効果を奏する。
【図面の簡単な説明】
【００１１】
【図１】図１は、実施例１にかかるディスク装置の構成例（平面図）を示す図である。
【図２】図２は、実施例１にかかるディスク装置の構成例（側面図）を示す図である。
【図３】図３は、カートリッジ載置時におけるディスク装置の構成例（要部側面図）を示す図である。
【図４】図４は、カートリッジ搬入時におけるディスク装置の構成例（平面図）を示す図である。
【図５】図５は、カートリッジ搬入時におけるディスク装置の構成例（側面図）を示す図である。
【図６】図６は、実施例２にかかるディスク装置の構成例（側面図）を示す図である。
【図７】図７は、カートリッジ載置時におけるディスク装置の構成例（要部側面図）を示す図である。
【図８】図８は、カートリッジ搬入時における押圧前のディスク装置の構成例（側面図）を示す図である。
【図９】図９は、カートリッジ搬入時におけるディスク装置の構成例（側面図）を示す図である。
【図１０】図１０は、実施例３にかかるディスク装置の構成例（側面図）を示す図である。
【図１１】図１１は、カートリッジ載置時におけるディスク装置の構成例（要部側面図）を示す図である。
【図１２】図１２は、カートリッジ搬入時における押圧前のディスク装置の構成例（側面図）を示す図である。
【図１３】図１３は、実施例４にかかるディスク装置の構成例（側面図）を示す図である。
【図１４】図１４は、カートリッジ載置時におけるディスク装置の構成例（要部側面図）を示す図である。
【図１５】図１５は、カートリッジ搬入時における押圧前のディスク装置の構成例（側面図）を示す図である。
【図１６】図１６は、実施例５にかかるディスク装置の構成例（側面図）を示す図である。
【図１７】図１７は、カートリッジ載置時におけるディスク装置の構成例（要部側面図）を示す図である。
【図１８】図１８は、カートリッジ搬入時における押圧前のディスク装置の構成例（側面図）を示す図である。
【図１９】図１９は、カートリッジ搬入時におけるディスク装置の構成例（側面図）を示す図である。
【符号の説明】
【００１２】
１−１〜１−５  ディスク装置
２  トレイ
２１  載置部
２１ａ，２１ｂ  載置用凹部
２１ｃ  位置決めピン
２２  ガイド用リブ
２３  押さえ用リブ
２３ａ  切欠部
２３ｂ  切欠部
２３ｃ  段差部
２３ｄ  切欠部
２４  スライド部材
２５  押さえ用リブ
２６  規制用リブ
２６ａ  切欠部
２７  切欠部
３  カートリッジ押さえ装置
３１  アーム部材
３２  押さえピン（トレイ移動規制手段）
３３  回転ピン（アーム回転手段）
３４  回転軸
３５  規制ピン（トレイ移動規制手段）
４  ケーシング
４１  開口部
４２  搬出入扉
４３ａ〜４３ｆ  ガイド部材
４４ａ〜４４ｄ  押さえ本体ガイド部材
４５  規制突起
４６ａ，４６ｂ  摺動支持部材
４７ａ，４７ｂ  ガイド部材付勢部材
４８  緩衝部材
５  カートリッジ
５１  本体部
５２  シャッター
５３  位置決め穴
６  カートリッジ押さえ装置
６１  押さえ本体
６２  押さえピン（トレイ移動規制手段）
Ｄ１  ディスク
Ｄ２  ベアディスク
【発明を実施するための最良の形態】
【００１３】
以下、この発明につき図面を参照しつつ詳細に説明する。なお、下記実施の形態および実施例によりこの発明が限定されるものではない。また、下記実施の形態および実施例における構成要素には、当業者が容易に想定できるもの或いは実質的に同一のものが含まれる。なお、下記の実施例では、カートリッジに収納されたディスクおよびベアディスクのいずれかに記録された情報の再生あるいはいずれかへの情報の記録を行うことができるディスク装置について説明するが、これに限定されるものではない。例えば、カートリッジに収納されたディスクのみに記録された情報の再生あるいはディスクへの情報の記録を行うことができるディスク装置であっても良い。【００１４】
〔実施の形態１〕
この実施の形態１に係るディスク装置は、少なくともカートリッジに収納されたディスクに記録された情報の再生あるいは当該ディスクへの情報の記録の少なくともいずれか一方を行い、トレイと、カートリッジ押さえ装置と、トレイ移動規制手段とを備える。トレイは、カートリッジを載置するものであり、このカートリッジが載置できるカートリッジ載置位置からこの載置されたカートリッジに収納されたディスクの再生記録を行うディスク再生位置までを移動するものである。押さえ装置は、トレイがディスク再生位置に位置した時に、このトレイに載置されたカートリッジをカートリッジ載置側から押圧する。トレイ移動規制手段は、カートリッジがカートリッジ押さえ装置により、カートリッジ載置側から押圧されることに伴って、トレイの切欠部に入り込み、この切欠部のトレイの移動方向における両壁面に対向する。【００１５】
この実施の形態１に係るディスク装置では、上記構成を特徴とすることで、トレイがディスク再生位置に位置した時に、カートリッジ押さえ装置がカートリッジをトレイに対して押さえつけるので、カートリッジのトレイに対する移動を抑制することができる。また、カートリッジ押さえ装置がカートリッジをトレイに対して押さえつけるのに伴って、トレイ移動規制手段がトレイの切欠部に入り込み、この切欠部のトレイの移動方向における両壁面に対向するので、トレイのディスク装置に対する移動方向への移動を規制することができる。つまり、カートリッジ押さえ装置により、トレイのディスク装置に対する移動を抑制することができる。従って、ディスクの記録再生時に、カートリッジのディスクに対する移動が抑制され、ディスクとのクリアランスを確保することができる。【００１６】
〔実施の形態２〕
この実施の形態２に係るディスク装置は、上記実施の形態１に係るディスク装置において、トレイにカートリッジが載置されていない場合に、カートリッジ押さえ装置は、ディスク再生位置時に、トレイをカートリッジ載置側から押圧する。【００１７】
この実施の形態２に係るディスク装置では、上記構成を特徴とすることで、トレイにカートリッジではなくベアディスクが載置されている場合、ディスク再生位置に位置した時に、カートリッジ押さえ装置は、ベアディスクではなくトレイを押さえつける。従って、カートリッジ押さえ装置は、トレイにカートリッジが載置されている場合に、このカートリッジをトレイに対して押さえつけ、トレイにベアディスクが載置されている場合には、このベアディスクをトレイに対して押さえつけない。これにより、ディスク装置は、トレイにカートリッジに格納されているディスク、ベアディスクのいずれが載置されていても、ディスクの再生記録を行うことができる。【００１８】
〔実施の形態３〕
この実施の形態３に係るディスク装置は、上記実施の形態１または２に係るディスク装置において、トレイ移動規制手段は、カートリッジ押さえ装置によるカートリッジの押圧に伴って、切欠部に入り込み、この切欠部のディスク再生位置側の壁面をカートリッジ載置位置側からディスク再生位置側に向かって押圧する。【００１９】
この実施の形態３に係るディスク装置では、上記構成を特徴とすることで、切欠部に入り込んだトレイ移動規制手段は、このディスク再生位置側の壁面と接触し、この接触を維持する。従って、トレイのディスク装置に対する移動方向への移動をさらに規制することができ、カートリッジ押さえ装置により、トレイのディスク装置に対する移動をさらに抑制することができる。従って、ディスクの記録再生時に、カートリッジのディスクに対する移動がさらに抑制され、ディスクとのクリアランスを確実に確保することができる。【００２０】
〔実施の形態４〕
この実施の形態４に係るディスク装置は、上記実施の形態１〜３のいずれか１つに係るディスク装置において、トレイ移動規制手段がトレイ移動手段により、トレイの移動に連動して、切欠部に入り込む。【００２１】
この実施の形態４に係るディスク装置では、上記構成を特徴とすることで、トレイ移動規制手段を切欠部に入り込ませるために、このトレイ移動規制手段を移動させる移動手段を新たに備える必要がない。従って、簡単な構成で、カートリッジ押さえ装置により、トレイのディスク装置に対する移動を抑制することができる。【００２２】
〔実施の形態５〕
この実施の形態５に係るディスク装置は、上記実施の形態１〜４のいずれか１つに係るディスク装置において、カートリッジ押さえ装置は、アーム部材と、押さえピンと、アーム回転手段とを備える。アーム部材は、トレイの側面に対向する位置に配置され、このトレイに向かって回転自在に支持されている。押さえピンは、トレイ移動規制手段であり、このアーム部材に設けられ、アーム部材の回転により切欠部に入り込む。アーム回転手段は、この押さえピンをこのトレイに向かう方向に回転させる。トレイの切欠部は、このトレイのカートリッジ載置側に突出する押さえ用リブに形成され、その深さがトレイに載置されたカートリッジまでの深さよりも深く形成されている。【００２３】
この実施の形態５に係るディスク装置では、押さえピンは、トレイがディスク再生位置に位置した時に、トレイの切欠部に入り込むとともに、トレイにカートリッジが載置されている場合は、このカートリッジをカートリッジ載置側から押圧する。従って、簡単な構成で、かつ従来のディスク装置と比較して、ディスク装置の厚み方向のスペースは押さえピンが切欠部に入り込む分だけを確保すればよいので、ディスク装置の厚みが厚くなることを抑制でき、小型化を図ることができる。【００２４】
〔実施の形態６〕
この実施の形態６に係るディスク装置は、上記実施の形態１〜４のいずれか１つに係るディスク装置において、カートリッジ押さえ装置は、アーム部材と、押さえピンと、アーム回転手段とを備える。アーム部材は、トレイの側面に対向する位置に配置され、このトレイに向かって回転自在に支持されている。押さえピンは、このアーム部材に設けられ、アーム部材の回転により回転する。アーム回転手段は、この押さえピンをこのトレイに向かう方向に回転させる。トレイの切欠部は、トレイのカートリッジ載置側と反対側に形成されている。トレイ移動規制手段は、アーム部材に設けられ、このアーム部材の回転により切欠部に入り込む規制ピンである。【００２５】
この実施の形態６に係るディスク装置では、押さえピンは、トレイがディスク再生位置に位置した時に、トレイにカートリッジが載置されている場合は、このカートリッジをカートリッジ載置側から押圧する。この押さえピンがカートリッジを押圧するのに伴って、規制ピンがトレイの切欠部に入り込む。従って、簡単な構成で、かつ従来のディスク装置と比較して、ディスク装置の厚み方向のスペースは押さえピンが切欠部に入り込む分だけを確保すればよいので、ディスク装置の厚みが厚くなることを抑制でき、小型化を図ることができる。【００２６】
また、切欠部は、トレイのカートリッジ載置側の反対側に形成されているので、このトレイのカートリッジ載置側に切欠部を形成するために、トレイに載置されたカートリッジまでの高さよりも高い押さえ用リブを設ける必要がない。従って、トレイの厚みを薄くすることができる。
【実施例１】
【００２７】
図１および図２は、実施例１にかかるディスク装置の構成例を示す図である。図３は、カートリッジ載置時におけるディスク装置の構成例を示す図である。図４および図５は、カートリッジ搬入時におけるディスク装置の構成例を示す図である。なお、実施例１〜５では、カートリッジに格納されているディスクおよびベアディスクのいずれをも搬入することができるトレイを備え、搬入されたカートリッジに格納されているディスクおよびベアディスクのいずれかに記録された情報の再生および当該ディスクへの情報の記録を行うことができるディスク装置について説明する。なお、この発明はこれに限定されるものではなく、少なくともカートリッジに格納されているディスクを搬入することができるトレイを備え、搬入されたカートリッジに格納されているディスクに記録された情報の再生あるいは当該ディスクへの情報の記録の少なくともいずれか一方を行うことができるディスク装置であっても良い。なお、カートリッジに格納されているディスクおよびベアディスクは、ＤＶＤ（Digital Versatile Disc）、ＣＤ（Compact Disc）、ＢＤ（Blu-ray Disc）、ＨＤＤＶＤ（High Definition Digital Versatile Disc）などの光ディスクを含むものである。【００２８】
図１および図２に示すように、実施例１にかかるディスク装置１−１は、トレイ２と、カートリッジ押さえ装置３とを備えるものである。このトレイ２およびカートリッジ押さえ装置３は、ケーシング４内に収納されている。このケーシング４には、トレイ２を図１矢印Ａに示す移動方向に移動させるトレイ移動手段、例えば図示しない駆動モータが収納されている。また、このケーシング４には、トレイ２の移動に連動して、昇降する図示しないトラバースメカが収納されている。なお、このトラバースメカには、例えばターンテーブルなどのカートリッジ５に格納された後述するディスクＤ１（図３〜図５の二点鎖線）あるいはベアディスクＤ２（図１および図２の二点鎖線）をクランプするディスククランプ手段、例えばディスク回転用モータなどのターンテーブルにクランプされたカートリッジ５に格納された後述するディスクＤ１あるいはベアディスクＤ２（以下、必要に応じて「ディスクＤ１，Ｄ２」と称する）を回転させるディスク回転手段や、例えばピックアップなどのこのディスクＤ１，Ｄ２に記録された情報の読み込みおよびディスクＤ１，Ｄ２への情報の書き込みを行う再生記録手段などが搭載されている。なお、図示しないトレイ移動手段、ディスク回転手段、再生記録手段などの制御は、図示しない制御装置により行われる。【００２９】
トレイ２は、カートリッジ５を載置するカートリッジ載置位置（図３参照）からこの載置されたカートリッジ５をこのカートリッジ５に収納されたディスクＤ１の再生記録を行うディスク再生位置までを移動するものである。なお、このトレイ２の移動は、上記図示しないトレイ移動手段により行われる。つまり、図示しないトレイ移動手段は、トレイ２をディスク装置１に搬入する際に、このトレイ２をカートリッジ載置位置からディスク再生位置まで移動させ、トレイ２をディスク装置１から搬出する際に、このトレイ２をディスク再生位置からカートリッジ載置位置まで移動させるものである。【００３０】
トレイ２は、図１に示すように、ほぼ中央部に、載置部２１が形成されている。この載置部２１は、ディスクＤ１が収納されたカートリッジ５（図３〜５参照）を載置することができる面積を有している。また、この載置部２１には、ベアディスクＤ２を載置するための載置用凹部２１ａ，２１ｂが形成されている。なお、載置用凹部２１ａには、直径が大きいディスク（１２ｃｍのディスク）を載置することができ、載置用凹部２１ｂには、直径が小さいディスク（例えば、８ｃｍのディスク）を載置することができる。なお、２１ｃは、載置部２１にカートリッジ５が載置された際に、このカートリッジ５の位置決め穴５３に挿入される位置決めピンである。【００３１】
また、このトレイ２の両側面には、トレイ２の移動方向に延在するガイド用リブ２２および押さえ用リブ２３がそれぞれ形成されている。各ガイド用リブ２２は、トレイ２の移動方向と直交する方向、ここではディスク装置１の幅方向（図１の上下方向）に突出して形成されている。なお、２４は、カートリッジ５のシャッター５２を開き、カートリッジ５内に収納されたディスクＤ１をカートリッジ５の外部に露出させるスライド部材である。このスライド部材２４は、トレイ２に対して、トレイ２の移動に連動して、トレイ２の移動方向と直行する方向、ここでは、ディスク装置１の幅方向（図１の上下方向）に摺動するものである。【００３２】
各押さえ用リブ２３は、図２に示すように、トレイ２のカートリッジ載置側（同図の上側）に突出して形成されている。この各押さえ用リブ２３は、切欠部２３ａがそれぞれ形成されている。この切欠部２３ａは、押さえ用リブ２３の先端部からカートリッジ載置側の反対側に向かって形成されている。この切欠部２３ａは、その深さＨ１がトレイ２にカートリッジ５が載置された際、ここでは載置部２１にカートリッジ５が載置された際における押さえ用リブ２３の先端部からこのカートリッジ５までの深さｈ１（図３参照）よりも深くなるように形成されている。さらに、この切欠部２３ａは、その深さＨ１がトレイ２にベアディスクＤ２が載置された際、ここでは載置用凹部２１ａ，２１ｂのいずれかにベアディスクＤ２が載置された際における押さえ用リブ２３の先端部からこのベアディスクＤ２までの深さｈ２よりも浅くなるように形成されている。【００３３】
ここで、この切欠部２３ａは、トレイ２がディスク再生位置に位置した時に、カートリッジ押さえ装置３の後述する押さえピン３２が入り込める位置に形成されている。なお、この切欠部２３ａは、その幅が上記押さえピン３２の直径よりも若干大きく形成されていることが好ましい。また、この切欠部２３ａは、押さえピン３２が回転軸３４を中心に回転する際の軌跡（同図一点鎖線）に沿って形成されていることが好ましい。【００３４】
カートリッジ押さえ装置３は、トレイ２あるいはこのトレイ２に載置されたカートリッジ５をカートリッジ載置側から（図２では、上から下に向かって）押圧するものである。このカートリッジ押さえ装置３は、トレイの２の両側面に対向するように２個備えられており、それぞれアーム部材３１と、押さえピン３２と、回転ピン３３とにより構成されている。【００３５】
アーム部材３１は、ディスク装置１のトレイ２の側面と対向する位置、ここでは、トレイ２の側面とケーリング４の図示しない内壁面との間に配置されている。このアーム部材３１は、図示しない内壁面からトレイ２の側面に向かって突出して形成された回転軸３４により回転自在に支持されている。【００３６】
押さえピン３２は、トレイ移動規制手段でもあり、円柱形状であり、例えば合成樹脂などのトレイ２やカートリッジ５と接触しても、傷付き難い材料で形成されている。この押さえピン３２は、アーム部材３１の一方の端部に、トレイ２の側面に向かって突出するように形成されている。この押さえピン３２は、その先端部が上記トレイ２のリブ２３よりも載置部側、すなわちリブ２３よりも内側で載置部２１に載置されたカートリッジ５にかかるように形成されている。また、押さえピン３２は、トレイ２がディスク再生位置の位置した時に、このアーム部材３１が回転することにより、トレイ２に向かって移動し、このトレイ２に形成された押さえ用リブ２３の切欠部２３ａに入り込むものである。【００３７】
回転ピン３３は、アーム回転手段であり、押さえピン３２をトレイ２に向かう方向に回転させるものである。この回転ピン３３は、アーム部材３１の他方の端部に形成されている。回転ピン３３は、上記トレイ移動手段と連結されており、トレイ２の移動に連動して、押さえピン３２を回転させるものである。つまり、アーム回転手段である回転ピン３３は、図示しないトレイ移動手段の駆動力により押さえピン３２をトレイ２に向かう方向に回転させるものである。なお、回転ピン３３は、トレイ移動手段によりトレイ２の移動方向（図１矢印Ａ方向）に往復運動する図示しないアームに回転自在に連結されていても良い。また、回転ピン３３は、トレイ移動手段によりトレイ２の移動方向に往復運動する図示しないカム部材に形成されたカム溝に摺動可能に挿入されていても良い。【００３８】
回転ピン３３は、トレイ２がカートリッジ載置位置からディスク再生位置に移動する際に、トレイ移動規制手段により、少なくとも同図矢印Ｂ方向に押圧される。これにより、アーム部材３１および押さえピン３２が同図矢印Ｃ方向に回転する。このとき、アーム部材３１および押さえピン３２の回転は、トレイ２がディスク再生位置に位置する直前あるいは位置した時に、押さえピン３２が切欠部２３ａに入り込むように調整される。従って、トレイ移動規制手段である押さえピン３２を切欠部２３ａに入り込ませるために、この押さえピン３２を移動させる移動手段をトレイ移動手段とは別個に新たに備える必要がない。これにより、簡単な構成で、押さえピン３２を切欠部２３ａに入り込ませることができる。【００３９】
ケーシング４は、その前面には、開口部４１が形成されている。この開口部４１には、搬出入扉４２が開閉自在に支持されている。この搬出入扉４２は、図示しない扉用付勢部材により、常に閉じる方向に付勢されている。従って、トレイ２が搬出される際には、トレイ２により搬出入扉４２が開く方向に押圧され、この搬出入扉４２に作用する付勢力に対抗して、搬出入扉４２が開かれる。ここで、開かれた搬出入扉４２は、図３に示すように、トレイ２により、閉じる方向への回転が規制され、開かれた状態を維持する。また、トレイ２が搬入される際には、この開かれた状態の搬出入扉４２の閉じる方向への回転の規制が解除されるため、搬出入扉４２が付勢力により閉じられる。【００４０】
また、ケーシング４は、トレイ２の両側面に対向する図示しない内壁面に、ガイド部材４３ａ〜４３ｆがそれぞれ複数個配置されている。この複数のガイド部材４３ａ〜４３ｆは、トレイ２の両側面に形成されたガイド用リブ２２を挟んで対向する一対のガイド部材をトレイ２の移動方向に複数箇所、ここでは３箇所（４３ａと４３ｂ、４３ｃと４３ｄ、４３ｅと４３ｆ）に配置することで構成されている。この複数のガイド部材４３ａ〜４３ｆは、トレイ２の移動方向への移動をガイドするものである。なお、カートリッジ押さえ装置３は、複数のガイド部材４３ａ〜４３ｆのうち、搬出入扉４２側の２箇所の対となるガイド部材の間、すなわち一対のガイド部材４３ｃ、４３ｄと一対のガイド部材４３ｅ，４３ｆとの間に位置するトレイ２のリブ２３に押さえピン３２が接触するように配置されている。【００４１】
なお、カートリッジ５は、図３〜図５に示すように、ディスクＤ１を収納するものである。このカートリッジ５は、本体部５１と、シャッター５２とにより構成されている。本体部５１の内部には、ディスクＤ１が収納されている。シャッター５２は、カートリッジ５の両側面のいずれの方向に向かっても摺動することができるものである。また、このシャッター５２は、図示しないシャッター付勢部材により付勢力が作用しており、外力が加わっていない場合には、本体部５１に対して閉じる位置、すなわちカートリッジ５の外部にディスクＤ１を露出させない位置となる。なお、５３は、位置決めピン２１ｃが挿入される位置決め穴である。【００４２】
次に、ディスク装置１−１の動作について説明する。まず、カートリッジ５をディスク装置１に搬入する場合について説明する。まず、図３に示すように、トレイ２にカートリッジ５を載置する。ここでは、図示しないトレイ移動手段により、トレイ２をディスク再生位置からカートリッジ載置位置まで、すなわち図２に示す矢印Ａ１方向、すなわち搬出方向に移動させる。つまり、トレイ２をディスク装置１−１から搬出させる。なお、トレイ２は、カートリッジ載置位置時において、一対のガイド部材４３ｃ、４３ｄと一対のガイド部材４３ｅ，４３ｆとによりガイドされる。【００４３】
このとき、カートリッジ押さえ装置３の回転ピン３３は、このトレイ２のディスク再生位置からカートリッジ載置位置までの移動に連動して、トレイ移動手段により同図矢印Ｂ方向と反対方向に引っ張られる。そして、アーム部材３１と押さえピン３２は、同図矢印Ｃ方向と反対方向、すなわちトレイ２から離れる方向に回転する。これにより、押さえピン３２は、トレイ２の押さえ用リブ２３よりも、カートリッジ載置側（同図では、上側）に位置する。【００４４】
そして、同図に示すように、カートリッジ５をカートリッジ載置位置に位置したトレイ２の載置部２１に載置する。このとき、カートリッジ５の位置決め穴５３にトレイ２の位置決めピン２１ｃが挿入される（図４参照）。【００４５】
次に、図４および図５に示すように、カートリッジ５をディスク装置１に搬入する。ここでは、図示しないトレイ移動手段により、トレイ２をカートリッジ載置位置からディスク再生位置まで、すなわち図３に示す矢印Ａ２方向、すなわち搬入方向に移動させる。つまり、トレイ２をディスク装置１−１に搬入する。このとき、カートリッジ押さえ装置３の回転ピン３３は、このトレイ２のディスク再生位置からカートリッジ載置位置までの移動に連動して、トレイ移動手段により同図矢印Ｂ方向に押され始めるか、あるいはトレイ２のカートリッジ載置位置時における位置を維持する。従って、アーム部材３１と押さえピン３２は、同図矢印Ｃ方向、すなわちトレイ２に向かう方向に回転し始めるか、あるいはトレイ２のカートリッジ載置位置時における位置を維持する。【００４６】
トレイ２がディスク再生位置まで移動すると、カートリッジ５のシャッター５２は、トレイ２の移動に連動するスライド部材２４がトレイ２の移動方向と直行する方向に摺動することで開けられ、カートリッジ５に収納されたディスクＤ１が外部に露出し、このディスクＤ１の再生記録が可能となる。このとき、カートリッジ押さえ装置３の回転ピン３３は、すでに、このトレイ２のカートリッジ載置位置からディスク再生位置までの移動に連動して、トレイ移動手段により同図矢印Ｂ方向に押されている。そして、アーム部材３１と押さえピン３２は、同図矢印Ｃ方向、すなわちトレイ２に向かう方向に回転され、押さえピン３２が押さえ用リブ２３の切欠部２３ａに入り込む。従って、押さえピン３２は、この切欠部２３ａのトレイ２の移動方向における両壁面に対向することとなる。【００４７】
ここで、押さえピン３２が入り込んだ切欠部２３ａは、その深さＨ１が押さえ用リブ２３の先端部からこのカートリッジ５までの深さｈ１（図３参照）よりも深い。従って、この押さえピン３２は、切欠部２３ａの底部まで到達する前に、その先端部がカートリッジ５に接触し、このカートリッジ５をカートリッジ側から押圧する。これにより、カートリッジ押さえ装置３は、トレイ２のディスク再生位置時に、このカートリッジ５をカートリッジ載置側から押圧する。つまり、カートリッジ押さえ装置３は、トレイ２のディスク再生位置時に、このトレイ２にカートリッジ５が載置されている際に、このカートリッジ５をカートリッジ載置側から押さえつけるのでカートリッジ５のトレイ２に対する移動を抑制することができる。【００４８】
また、カートリッジ押さえ装置３がカートリッジ５をトレイ２に対して押さえつけるのに伴って、上述のように、トレイ移動規制手段である押さえピン３２がトレイ２の切欠部２３ａに入り込み、この切欠部２３ａのトレイ２の移動方向における両壁面に対向するので、押さえピン３２とこの両壁面とのクリアランス以上にこのトレイ２のディスク装置１−１に対する移動方向への移動することを規制することができる。つまり、カートリッジ押さえ装置３により、トレイ２のディスク装置１−１に対する移動を抑制することができる。これにより、簡単な構成で、ディスクＤ１の記録再生時に、カートリッジ５のディスクＤ１に対する移動が抑制され、ディスクＤ１とのクリアランスを確保することができる。【００４９】
また、トレイ移動手段を構成するメインカムに形成されたカムピンと、このカムピンが摺動するトレイ２に形成されたカム溝とにより、ディスク装置１−１に対するトレイ２の移動を抑制する方法もある。しかしながら、メインカム自体がディスク装置１−１の幅方向に摺動する物であるため、ガタが大きく、カートリッジ５とディスクＤ１とのクリアランスを確保することが困難である。この実施例１にかかるディスク装置１−１では、押さえピン３２が回転することで切欠部２３ａに入り込むので、押さえピン３２と切欠部２３ａとのクリアランスを小さくすることができ、ディスク装置１−１に対するトレイ２の移動を抑制することができる。【００５０】
また、図示しないトラバースメカあるいはトレイ２の一方に形成された突起が、トレイ２がディスク再生位置に位置したときに、他方に形成された溝に挿入されることで、ディスク装置１−１に対するトレイ２の移動を抑制する方法もある。しかしながら、カートリッジの収納されたディスクを回転させるためには、トラバースメカの昇降量が大きくなるため、トレイ２とトラバースメカとの隙間が小さくなる。従って、この突起の溝に対する挿入量が十分に確保できないという問題がある。また、トレイ２の反りや捻れに影響を受けやすく、突起が溝に入りにくいという問題もある。この実施例１にかかるディスク装置１−１では、押さえピン３２が入り込む切欠部２３ａがガイドリブ用リブ２２近傍の押さえ用リブ２３に形成されているので、トレイ２の反りや捻れに影響を受けにくく、確実に切欠部２３ａに入り込むことができる。【００５１】
なお、搬入されたカートリッジ５をディスク装置１−１から搬出する際には、図示しないトレイ移動手段により、トレイ２をディスク再生位置からカートリッジ載置位置まで移動させる。このとき、カートリッジ押さえ装置３の回転ピン３３は、このトレイ２のディスク再生位置からカートリッジ載置位置までの移動に連動して、トレイ移動手段により同図矢印Ｂ方向と反対方向に引っ張られる。そして、アーム部材３１と押さえピン３２は、同図矢印Ｃ方向と反対方向、すなわちトレイ２から離れる方向に回転する。これにより、押さえピン３２は、トレイ２の切欠部２３ａから抜け、リブ２３よりも、カートリッジ載置側（同図では、上側）に位置する。【００５２】
次に、ベアディスクＤ２をディスク装置１−１に搬入する場合について説明する。まず、トレイ２の載置用凹部２１ａ，２１ｂのいずれか一方に、ベアディスクＤ２を載置する（図１参照）。次に、図１および図２に示すように、ベアディスクＤ２をディスク装置１に搬入する。ここでは、図示しないトレイ移動手段により、トレイ２をカートリッジ載置位置からディスク再生位置まで移動させる。トレイ２がディスク再生位置まで移動すると、このベアディスクＤ２の再生記録が可能となる。このとき、カートリッジ押さえ装置３の回転ピン３３がトレイ２の移動に連動して、トレイ移動手段により同図矢印Ｂ方向に押され、アーム部材３１と押さえピン３２は、同図矢印Ｃ方向、すなわちトレイ２に向かう方向に回転され、押さえピン３２が押さえ用リブ２３の切欠部２３ａに入り込む。【００５３】
ここで、押さえピン３２が入り込んだ切欠部２３ａは、その深さＨ１がリブ２３の先端部からベアディスクまでの深さｈ２よりも浅い。従って、この押さえピン３２は、切欠部２３ａの底部まで到達し、この底部と接触し、このトレイ２をカートリッジ側から押圧する。つまり、トレイ２にカートリッジ５ではなくベアディスクＤ２が載置されている場合、このトレイ２がディスク再生位置に位置した時に、カートリッジ押さえ装置３は、ベアディスクＤ２ではなくトレイ２を押さえつける。従って、カートリッジ押さえ装置３は、トレイ２にカートリッジ５が載置されている場合に、このカートリッジ５をトレイ２に対して押さえつけ、トレイ２にベアディスクＤ２が載置されている場合には、このベアディスクＤ２をトレイ２に対して押さえつけない。これにより、ディスク装置１−１は、トレイ２にカートリッジ５に格納されているディスクＤ１、ベアディスクＤ２のいずれが載置されていても、ディスクＤ１，Ｄ２の再生記録を行うことができる。
【実施例２】
【００５４】
次に、実施例２にかかるディスク装置１−２について説明する。図６は、実施例２にかかるディスク装置の構成例を示す図である。図７は、カートリッジ載置時におけるディスク装置の構成例を示す図である。図８は、カートリッジ搬入時における押圧前のディスク装置の構成例を示す図である。図９は、カートリッジ搬入時におけるディスク装置の構成例を示す図である。図６〜図９に示す実施例２にかかるディスク装置１−２が図１〜図５に示す実施例１にかかるディスク装置１−１と異なる点は、トレイ２がディスク再生位置時に、カートリッジ押さえ装置３の押さえピン３２を切欠部２３ｂのディスク再生位置側の壁面を搬入方向に押圧する点である。なお、この実施例２にかかるディスク装置１−２の基本的構成のうち、実施例１にかかるディスク装置１−１の基本的構成と同一部分（図１〜図５と図６〜図９において同一符号部分）は、簡略化あるいは省略して説明する。【００５５】
トレイ２の各押さえ用リブ２３は、図６に示すように、カートリッジ載置位置側を切り欠くことで切欠部２３ｂがそれぞれ形成されている。この切欠部２３ｂは、一方、すなわちディスク再生位置側の壁面２３ｃのみを有している。この切欠部２３ｂは、その深さＨ２が載置部２１にカートリッジ５が載置された際における押さえ用リブ２３の先端部からこのカートリッジ５までの深さｈ１（図７参照）よりも深くなるように形成されている。さらに、この切欠部２３ｂは、その深さＨ１がトレイ２にベアディスクＤ２が載置された際における押さえ用リブ２３の先端部からこのベアディスクＤ２までの深さｈ２よりも浅くなるように形成されている。ここで、この切欠部２３ｂの壁面２３ｃは、トレイ２がディスク再生位置に位置した時に、この壁面２３ｃのうち押さえ用リブ２３の先端部近傍にカートリッジ押さえ装置３の押さえピン３２が接触する位置に形成されている。【００５６】
また、このトレイ２のディスク再生位置側の端部と対向するケーシング４の図示しない内壁面には、例えばゴムなどの緩衝部材４８が取り付けられている。この緩衝部材４８の厚みは、トレイ２がディスク再生位置に位置した時に、このトレイ２のディスク再生位置側の端部に接触するように設定されている。【００５７】
次に、ディスク装置１−２の動作について説明する。なお、ディスク装置１−２の基本的動作は、ディスク装置１−１の基本的動作とほぼ同一であるので、簡略化して説明する。まず、カートリッジ５をディスク装置１に搬入する場合について説明する。まず、図７に示すように、カートリッジ５をカートリッジ載置位置に位置したトレイ２の載置部２１に載置する。ここでは、図示しないトレイ移動手段により、トレイ２を搬出方向に移動させ、トレイ２をディスク装置１−２から搬出させる。このとき、カートリッジ押さえ装置３の回転ピン３３が、このトレイ２の移動に連動して、同図矢印Ｂ方向と反対方向に引っ張られ、アーム部材３１と押さえピン３２が同図矢印Ｃ方向と反対方向、すなわちトレイ２から離れる方向に回転する。これにより、押さえピン３２は、トレイ２の押さえ用リブ２３よりも、カートリッジ載置側（同図では、上側）に位置する。【００５８】
次に、図８に示すように、カートリッジ５をディスク装置１に搬入する。ここでは、図示しないトレイ移動手段により、トレイ２を搬入方向に移動させ、トレイ２をディスク装置１−２に搬入する。このとき、カートリッジ押さえ装置３の回転ピン３３が、このトレイ２の移動に連動して、同図矢印Ｂ方向に押され始めるか、あるいはトレイ２のカートリッジ載置位置時における位置を維持し、アーム部材３１と押さえピン３２が同図矢印Ｃ方向、すなわちトレイ２に向かう方向に回転し始めるか、あるいはトレイ２のカートリッジ載置位置時における位置を維持する。【００５９】
トレイ２がディスク再生位置まで移動すると、トレイ２の移動に連動するスライド部材２４によりシャッター５２が開けられる。このとき、カートリッジ押さえ装置３の回転ピン３３がトレイ２の移動に連動して、同図矢印Ｂ方向に押され、アーム部材３１と押さえピン３２は、同図矢印Ｃ方向、すなわちトレイ２に向かう方向に回転される。これにより、押さえピン３２は、切欠部２３ｂの壁面２３ｃに接触し、このトレイ２をディスク再生位置側、すなわち搬送方向に押圧しながら切欠部２３ｂに入り込む。【００６０】
そして、ディスク再生位置側の押圧されるトレイ２により緩衝部材４８が押さえつけられ、図９に示すように、この緩衝部材４８が圧縮されることで、トレイ２のディスク装置１−２に対する位置決めが行われる。これにより、カートリッジ５に収納されたディスクＤ１の再生記録が可能となる。従って、切欠部２３ｂに入り込んだトレイ移動規制手段である押圧ピン３２は、このディスク再生位置側の壁面２３ｃと接触し、この接触を維持する。従って、トレイ２のディスク装置１−２に対する移動方向への移動を規制することができ、カートリッジ押さえ装置３により、トレイ２のディスク装置１−２に対する移動をさらに抑制することができる。従って、ディスクＤ１の記録再生時に、カートリッジ５のディスクＤ１に対する移動がさらに抑制され、ディスクＤ１とのクリアランスを確実に確保することができる。【００６１】
ここで、押さえピン３２が入り込んだ切欠部２３ｂは、その深さＨ２が押さえ用リブ２３の先端部からこのカートリッジ５までの深さｈ１（図７参照）よりも深い。従って、この押さえピン３２は、切欠部２３ａの底部まで到達する前に、その先端部がカートリッジ５に接触し、このカートリッジ５をカートリッジ側から押圧する。これにより、カートリッジ押さえ装置３は、トレイ２のディスク再生位置時に、このカートリッジ５をカートリッジ載置側から押圧する。つまり、カートリッジ押さえ装置３は、トレイ２のディスク再生位置時に、このトレイ２にカートリッジ５が載置されている際に、このカートリッジ５をカートリッジ載置側から押さえつけるのでカートリッジ５のトレイ２に対する移動を抑制することができる。【００６２】
なお、ベアディスクＤ２がトレイ２に載置されている場合に、トレイ２がディスク再生位置に位置している際には、図６に示すように、押さえピン３２が押さえ用リブ２３の切欠部２３ｂに入り込む。ここで、押さえピン３２が入り込んだ切欠部２３ｂは、その深さＨ２が押さえ用リブ２３の先端部からベアディスクまでの深さｈ２よりも浅い。従って、この押さえピン３２は、切欠部２３ｂの底部まで到達し、この底部と接触し、このトレイ２をカートリッジ側から押圧する。これにより、ディスク装置１−１は、トレイ２にカートリッジ５に格納されているディスクＤ１、ベアディスクＤ２のいずれが載置されていても、ディスクＤ１，Ｄ２の再生記録を行うことができる。
【実施例３】
【００６３】
次に、実施例３にかかるディスク装置１−３について説明する。図１０は、実施例３にかかるディスク装置の構成例を示す図である。図１１は、カートリッジ載置時におけるディスク装置の構成例を示す図である。図１２は、カートリッジ搬入時におけるディスク装置の構成例を示す図である。図１０〜図１２に示す実施例１にかかるディスク装置１−３が図１〜図５に示す実施例１にかかるディスク装置１−１と異なる点は、カートリッジ押さえ装置６が回転ではなく、直線方向に移動する点である。なお、この実施例３にかかるディスク装置１−３の基本的構成のうち、実施例１にかかるディスク装置１−１の基本的構成と同一部分（図１〜図５と図１０〜図１２において同一符号部分）は、簡略化あるいは省略して説明する。【００６４】
トレイ２の各押さえ用リブ２３は、図１０に示すように、切欠部２３ｄがそれぞれ形成されている。この切欠部２３ｄは、押さえ用リブ２３の先端部からカートリッジ載置側の反対側に向かって形成されている。この切欠部２３ｄは、その深さＨ３が載置部２１にカートリッジ５が載置された際における押さえ用リブ２３の先端部からこのカートリッジ５までの深さｈ１（図１１参照）よりも深くなるように形成されている。さらに、この切欠部２３ｄは、その深さＨ３がトレイ２にベアディスクＤ２が載置された際における押さえ用リブ２３の先端部からこのベアディスクＤ２までの深さｈ２よりも浅くなるように形成されている。ここで、この切欠部２３ｄは、トレイ２がディスク再生位置に位置した時に、カートリッジ押さえ装置３の押さえピン６２が入り込める位置に形成されている。なお、この切欠部２３ｄは、その幅が上記押さえピン６２の直径よりも若干大きく形成されていることが好ましい。また、この切欠部２３ｄは、押さえピン３２が直線方向往復運動する際の軌跡（同図一点鎖線）に沿って形成されていることが好ましい。【００６５】
カートリッジ押さえ装置６は、トレイの２の両側面に対向するように２個備えられており、それぞれ押さえ本体６１と、押さえピン６２と、図示しない押さえ本体移動手段とにより構成されている。【００６６】
押さえ本体６１は、ディスク装置１のトレイ２の側面と対向する位置、ここでは、トレイ２の側面とケーシング４の図示しない内壁面との間に配置されている。この押さえ本体６１は、図示しない内壁面に取り付けられた押さえ本体ガイド部材４４ａ〜４４ｂにより、直線方向、ここではディスク装置１−３の厚み方向（図１０の上下方向）に移動可能に支持されている。【００６７】
押さえピン６２は、トレイ移動規制手段でもあり、押さえ本体６１のこの押さえ本体６１の移動する直線方向の一方の端部（同図では、上側）に、トレイ２の側面に向かって突出するように形成されている。この押さえピン６２は、その先端部が上記トレイ２の押さえ用リブ２３よりも載置部側、すなわち押さえ用リブ２３よりも内側で載置部２１に載置されたカートリッジ５にかかるように形成されている。また、押さえピン６２は、トレイ２がディスク再生位置の位置した時に、この押さえ本他６１が直線方向に移動することにより、トレイ２に向かって移動し、このトレイ２に形成された押さえ用リブ２３の切欠部２３ｄに入り込むものである。【００６８】
本体移動手段は、押さえピン６２をトレイ２に向かう方向に移動させるものである。この本体移動手段は、例えばトレイ移動手段と連結されており、トレイ２の移動に連動して、押さえ本体６１および押さえピン６２を直線方向に移動させるものである。本体移動手段は、トレイ２がカートリッジ載置位置からディスク再生位置に移動する際に、トレイ移動規制手段により、押さえ本体６１および押さえピン６２を直線方向に移動させる。このとき、押さえ本体６１および押さえピン３２の移動は、トレイ２がディスク再生位置に位置した直前あるいは位置した時に、押さえピン６２が切欠部２３ｄに入り込むように調整される。【００６９】
次に、ディスク装置１−３の動作について説明する。なお、ディスク装置１−３の基本的動作は、ディスク装置１−１の基本的動作とほぼ同一であるので、簡略化して説明する。まず、カートリッジ５をディスク装置１に搬入する場合について説明する。まず、図１１に示すように、カートリッジ５をカートリッジ載置位置に位置したトレイ２の載置部２１に載置する。ここでは、図示しないトレイ移動手段により、トレイ２を搬出方向に移動させ、トレイ２をディスク装置１−２から搬出させる。このとき、カートリッジ押さえ装置６の図示しない本体移動手段が、このトレイ２の移動に連動して、押さえ本体６１および押さえピン６２が同図矢印Ｄ方向と反対方向に移動し、押さえピン６２がトレイ２の押さえ用リブ２３よりも、カートリッジ載置側（同図では、上側）に位置する。【００７０】
次に、図１２に示すように、カートリッジ５をディスク装置１に搬入する。ここでは、図示しないトレイ移動手段により、トレイ２を搬入方向に移動させ、トレイ２をディスク装置１−３に搬入する。このとき、カートリッジ押さえ装置６の図示しない本体移動手段により、このトレイ２の移動に連動して、押さえ本体６１および押さえピン６２が同図矢印Ｄ方向に移動され始めるか、あるいはトレイ２のカートリッジ載置位置時における位置を維持する。【００７１】
トレイ２がディスク再生位置まで移動すると、トレイ２の移動に連動するスライド部材２４によりシャッター５２が開けられ、ディスクＤ１の再生記録が可能となる。このとき、カートリッジ押さえ装置６の図示しない本体移動手段により、トレイ２の移動に連動して、押さえ本体６１および押さえピン６２が同図矢印Ｄ方向に移動し、押さえピン６２が切欠部２３ｄに入り込む。従って、押さえピン６２は、この切欠部２３ａのトレイ２の移動方向における両壁面に対向することとなる。【００７２】
ここで、押さえピン６２が入り込んだ切欠部２３ｄは、その深さＨ３が押さえ用リブ２３の先端部からこのカートリッジ５までの深さｈ１（図１１参照）よりも深い。従って、この押さえピン６２は、切欠部２３ｄの底部まで到達する前に、その先端部がカートリッジ５に接触し、このカートリッジ５をカートリッジ側から押圧する。これらにより、上記実施例１と同様に、カートリッジ押さえ装置６により、カートリッジ５のトレイ２に対する移動を抑制することができ、トレイ２のディスク装置１−１に対する移動を抑制することができる。これにより、ディスクＤ１の記録再生時に、カートリッジ５のディスクＤ１に対する移動が抑制され、ディスクＤ１とのクリアランスを確保することができる。【００７３】
なお、ベアディスクＤ２がトレイ２に載置されている場合に、トレイ２がディスク再生位置に位置している際には、図６に示すように、押さえピン３２が押さえ用リブ２３の切欠部２３ｄに入り込む。ここで、押さえピン６２が入り込んだ切欠部２３ｄは、その深さＨ３が押さえ用リブ２３の先端部からベアディスクまでの深さｈ２よりも浅い。従って、この押さえピン６２は、切欠部２３ｂの底部まで到達し、この底部と接触し、このトレイ２をカートリッジ側から押圧する。これにより、ディスク装置１−３は、トレイ２にカートリッジ５に格納されているディスクＤ１、ベアディスクＤ２のいずれが載置されていても、ディスクＤ１，Ｄ２の再生記録を行うことができる。
【実施例４】
【００７４】
次に、実施例４にかかるディスク装置１−４について説明する。図１３は、実施例４にかかるディスク装置の構成例を示す図である。図１４は、カートリッジ載置時におけるディスク装置の構成例を示す図である。図１５は、カートリッジ搬入時における押圧前のディスク装置の構成例を示す図である。図１３〜図１５に示す実施例４にかかるディスク装置１−４が図１〜図５に示す実施例１にかかるディスク装置１−１と異なる点は、トレイ２がディスク再生位置時に、規制ピン３５がこのトレイ２のカートリッジ載置側と反対側に形成された切欠部２６ａに入り込む点である。なお、この実施例４にかかるディスク装置１−４の基本的構成のうち、実施例１にかかるディスク装置１−１の基本的構成と同一部分（図１〜図５と図１３〜図１５において同一符号部分）は、簡略化あるいは省略して説明する。【００７５】
また、このトレイ２の両側面には、図１３に示すように、上述したガイド用リブ２２と、押さえ用リブ２５と、規制用リブ２６とがそれぞれ形成されている。【００７６】
各押さえ用リブ２５は、同図に示すように、トレイ２のカートリッジ載置側（同図の上側）に突出して形成されている。各押さえ用リブ２５は、その高さＨ４が載置部２１にカートリッジ５が載置された際におけるこのカートリッジ５までの高さｈ３（図１４参照）よりも低くなるように形成されている。さらに、各押さえ用リブ２５は、その高さＨ４がトレイ２にベアディスクＤ２が載置された際におけるベアディスクＤ２までの高さよりも高くなるように形成されている。【００７７】
各規制用リブ２６は、図１３に示すように、トレイ２のカートリッジ載置側と反対側（同図の下側）に突出して形成されている。この各規制用リブ２６は、切欠部２６ａがそれぞれ形成されている。この切欠部２６ａは、押さえ用リブ２３の先端部からカートリッジ載置側に向かって形成されている。この切欠部２６ａは、トレイ２がディスク再生位置に位置した時に、カートリッジ押さえ装置３の後述する規制ピン３５が入り込める位置に形成されている。なお、この切欠部２６ａは、その幅が上記規制ピン３５の直径よりも若干大きく形成されていることが好ましい。また、この切欠部２６ａは、規制ピン３５が回転軸３４を中心に回転する際の軌跡（同図一点鎖線）に沿って形成されていることが好ましい。【００７８】
カートリッジ押さえ装置３は、上述したアーム部材３１と、押さえピン３２と、回転ピン３３と、規制ピン３５とにより構成されている。規制ピン３５は、円柱形状であり、例えば合成樹脂などのトレイ２と接触しても、傷付き難い材料で形成されている。この規制ピン３５は、アーム部材３１のカートリッジ載置側と反対側の位置する端部に、トレイ２の側面に向かって突出するように形成されている。この規制ピン３５は、トレイ２がディスク再生位置の位置した時に、このアーム部材３１が回転することにより、トレイ２に向かって移動し、このトレイ２に形成された規制用リブ２６の切欠部２６ａに入り込むものである。【００７９】
次に、ディスク装置１−４の動作について説明する。なお、ディスク装置１−４の基本的動作は、ディスク装置１−１の基本的動作とほぼ同一であるので、簡略化して説明する。まず、カートリッジ５をディスク装置１に搬入する場合について説明する。まず、図１４に示すように、カートリッジ５をカートリッジ載置位置に位置したトレイ２の載置部２１に載置する。ここでは、図示しないトレイ移動手段により、トレイ２を搬出方向に移動させ、トレイ２をディスク装置１−２から搬出させる。このとき、カートリッジ押さえ装置３の回転ピン３３が、このトレイ２の移動に連動して、同図矢印Ｂ方向と反対方向に引っ張られ、アーム部材３１、押さえピン３２、規制ピン３５が同図矢印Ｃ方向と反対方向、すなわちトレイ２から離れる方向に回転する。これにより、押さえピン３２は、トレイ２の押さえ用リブ２５よりも、カートリッジ載置側（同図では、上側）に位置する。また、規制ピン３５は、トレイ２の規制用リブ２６よりも、カートリッジ載置側と反対側（同図では、下側）に位置する。【００８０】
次に、図１５に示すように、カートリッジ５をディスク装置１−４に搬入する。ここでは、図示しないトレイ移動手段により、トレイ２を搬入方向に移動させ、トレイ２をディスク装置１−４に搬入する。このとき、カートリッジ押さえ装置３の回転ピン３３が、このトレイ２の移動に連動して、同図矢印Ｂ方向に押され始めるか、あるいはトレイ２のカートリッジ載置位置時における位置を維持し、アーム部材３１、押さえピン３２および規制ピン３５が同図矢印Ｃ方向、すなわちトレイ２に向かう方向に回転し始めるか、あるいはトレイ２のカートリッジ載置位置時における位置を維持する。【００８１】
トレイ２がディスク再生位置まで移動すると、トレイ２の移動に連動するスライド部材２４によりシャッター５２が開けられ、ディスクＤ１の再生記録が可能となる。このとき、カートリッジ押さえ装置３の回転ピン３３がトレイ２の移動に連動して、同図矢印Ｂ方向に押され、アーム部材３１、押さえピン３２、規制ピン３５は、同図矢印Ｃ方向、すなわちトレイ２に向かう方向に回転される。【００８２】
これにより、押さえピン３２は、押さえ用リブ２５の高さＨ４がこのカートリッジ５までの高さｈ３（図１４参照）よりも高いため、その先端部がカートリッジ５に接触し、このカートリッジ５をカートリッジ側から押圧する。また、規制ピン３５は、切欠部２６ａに入り込む。従って、規制ピン３５は、この切欠部２６ａのトレイ２の移動方向における両壁面に対向することとなる。【００８３】
これらにより、上記実施例１と同様に、カートリッジ押さえ装置３により、カートリッジ５のトレイ２に対する移動を抑制することができ、トレイ２のディスク装置１−４に対する移動を抑制することができる。これにより、簡単な構成で、ディスクＤ１の記録再生時に、カートリッジ５のディスクＤ１に対する移動が抑制され、ディスクＤ１とのクリアランスを確保することができる。【００８４】
なお、ベアディスクＤ２がトレイ２に載置されている場合に、トレイ２がディスク再生位置に位置している際には、図１３に示すように、押さえピン３２が押さえ用リブ２５と接触し、このトレイ２をカートリッジ側から押圧する。【００８５】
これにより、ディスク装置１−４は、トレイ２にカートリッジ５に格納されているディスクＤ１、ベアディスクＤ２のいずれが載置されていても、ディスクＤ１，Ｄ２の再生記録を行うことができる。切欠部２６ａは、トレイ２のカートリッジ載置側の反対側に形成されているので、このトレイ２のカートリッジ載置側に切欠部２６ａを形成するために、例えば、実施例１に示す押さえ用リブ２３のように、トレイ２に載置されたカートリッジ５までの高さよりも高い押さえ用リブを設ける必要がない。従って、トレイ２の厚みを薄くすることができる。
【実施例５】
【００８６】
次に、実施例５にかかるディスク装置１−５について説明する。図１６は、実施例５にかかるディスク装置の構成例を示す図である。図１７は、カートリッジ載置時におけるディスク装置の構成例を示す図である。図１８は、カートリッジ搬入時における押圧前のディスク装置の構成例を示す図である。図１９は、カートリッジ搬入時におけるディスク装置の構成例を示す図である。図１６〜図１９に示す実施例５にかかるディスク装置１−５が図１〜図５に示す実施例１にかかるディスク装置１−１と異なる点は、トレイ２がディスク再生位置時に、カートリッジ押さえ装置３の押さえピン３２により押圧されることで、カートリッジ載置側と反対側に移動し、規制突起４５が切欠部２７に入り込む点である。なお、この実施例５にかかるディスク装置１−５の基本的構成のうち、実施例１にかかるディスク装置１−１の基本的構成と同一部分（図１〜図５と図１６〜図１９において同一符号部分）は、簡略化あるいは省略して説明する。【００８７】
また、このトレイ２の両側面には、図１６に示すように、上述したガイド用リブ２２と、押さえ用リブ２５と、切欠部２７とがそれぞれ形成されている。【００８８】
各押さえ用リブ２５は、同図に示すように、トレイ２のカートリッジ載置側（同図の上側）に突出して形成されている。各押さえ用リブ２５は、その高さＨ４が載置部２１にカートリッジ５が載置された際におけるこのカートリッジ５までの高さｈ３（図１７参照）よりも低くなるように形成されている。さらに、各押さえ用リブ２５は、その高さＨ４がトレイ２にベアディスクＤ２が載置された際におけるベアディスクＤ２までの高さよりも高くなるように形成されている。【００８９】
各切欠部２７は、図１６に示すように、トレイ２のカートリッジ載置側と反対側（同図の下側）の図示しない裏面に形成されている。この各切欠部２７は、円錐形状であり、この裏面からカートリッジ載置側に向かって形成されている。この切欠部２６ａは、トレイ２がディスク再生位置に位置した時に、ケーシング４に形成された規制突起４５が入り込める位置に形成されている。なお、この切欠部２７は、その形状が円錐状に形成されている。【００９０】
ケーシング４は、トレイ２の図示しない裏面に対向する図示しない内壁面に、トレイ２がディスク再生位置に位置した時に、規制突起４５が形成されている。この規制突起４５は、円柱形状であり、その先端部が切欠部２７と同様の円錐形状に形成されている。なお、規制突起の直径は、切欠部２７の最大外径よりも大きいことが好ましい。【００９１】
また、ケーシング４には、ガイド部材４３ｅ，４３ｃにそれぞれ対応するように、摺動支持部材４６ａ，４６ｂと、ガイド部材付勢部材４７ａ，４７ｂが設けられている。この摺動支持部材４６ａ，４６ｂは、ガイド部材４３ｅ，４３ｃをトレイ２の移動方向と直交する方向、ここではディスク装置１−５の厚み方向に摺動自在に支持するものである。ガイド部材付勢部材４７ａ，４７ｂは、この摺動支持部材４６ａ，４６ｂにより摺動自在に支持されたガイド部材４３ｅ，４３ｃに、ディスク装置１−５の厚み方向のうち一方向、同図矢印Ｅ方向の付勢力を付与するものである。つまり、ガイド部材４３ｅ，４３ｃは、ディスク装置１−５の厚み方向に摺動可能であり、矢印Ｅ方向に付勢力が作用することなる。なお、この付勢力は、カートリッジ５が載置されたトレイを同図矢印Ｅ方向に移動させることができる程度の付勢力である。【００９２】
ケーシング４の複数のガイド部材４３ａ〜４３ｆは、トレイ２のガイド用リブ２２との隙間（ディスク装置１−５の厚み方向における隙間）Ｈ５が、切欠部２７に入り込むことができる規制突起４５の距離ｈ５を超えるように各一対のガイド部材どうしが配置されている。つまり、一対のガイド部材４３ａ、４３ｂの間、一対のガイド部材４３ｃ、４３ｄの間、一対のガイド部材４３ｅ，４３ｆの間と、ガイド用リブ２２との隙間が、切欠部２７に入り込むことができる規制突起４５の距離ｈ５を超えるように設定されている。これにより、トレイ２は、ディスク再生位置に位置した時に、ここではディスク装置１−５の厚み方向に隙間Ｈ５だけ移動することができる。【００９３】
次に、ディスク装置１−５の動作について説明する。なお、ディスク装置１−５の基本的動作は、ディスク装置１−１の基本的動作とほぼ同一であるので、簡略化して説明する。まず、カートリッジ５をディスク装置１に搬入する場合について説明する。まず、図１７に示すように、カートリッジ５をカートリッジ載置位置に位置したトレイ２の載置部２１に載置する。ここでは、図示しないトレイ移動手段により、トレイ２を搬出方向に移動させ、トレイ２をディスク装置１−５から搬出させる。【００９４】
このとき、カートリッジ押さえ装置３の回転ピン３３が、このトレイ２の移動に連動して、同図矢印Ｂ方向と反対方向に引っ張られ、アーム部材３１と押さえピン３２が同図矢印Ｃ方向と反対方向、すなわちトレイ２から離れる方向に回転する。これにより、押さえピン３２は、トレイ２の押さえ用リブ２３よりも、カートリッジ載置側（同図では、上側）に位置する。そして、トレイ２に外力が加わらなくなるので、トレイ２は、ガイド部材４３ｅ，４３ｃに作用する付勢力により、ガイド用リブ２２がガイド部材４３ｂ，４３ｄ，４３ｆと接触するまで、矢印Ｅ方向に移動する。また、トレイ２が矢印Ｅ方向に隙間Ｈ５だけ移動することで、規制突起４５と切欠部２７との間に隙間が形成される。【００９５】
次に、図１８に示すように、カートリッジ５をディスク装置１に搬入する。ここでは、図示しないトレイ移動手段により、トレイ２を搬入方向に移動させ、トレイ２をディスク装置１−２に搬入する。このとき、カートリッジ押さえ装置３の回転ピン３３がトレイ２のカートリッジ載置位置時における位置を維持し、アーム部材３１と押さえピン３２がトレイ２のカートリッジ載置位置時における位置を維持する。【００９６】
トレイ２がディスク再生位置まで移動すると、トレイ２の移動に連動するスライド部材２４によりシャッター５２が開けられる。このとき、カートリッジ押さえ装置３の回転ピン３３がトレイ２の移動に連動して、同図矢印Ｂ方向に押され、アーム部材３１と押さえピン３２は、同図矢印Ｃ方向、すなわちトレイ２に向かう方向に回転される。これにより、押さえピン３２は、押さえ用リブ２５の高さＨ４がこのカートリッジ５までの高さｈ３（図１７参照）よりも低いため、その先端部がカートリッジ５に接触し、このカートリッジ５をカートリッジ側から押圧する。【００９７】
従って、カートリッジ押さえ装置３は、トレイ２をディスク装置１−５の厚み方向のうち他方向、すなわち同図矢印Ｅ方向と反対方向に押圧する。このカートリッジ押さえ装置３による押圧力が４３ｅ，４３ｃに作用する付勢力に上回ると、トレイ２は、同図矢印Ｅ方向と反対方向に移動する。これにより、規制突起４５が切欠部２７に入り込む。従って、規制突起４５は、この切欠部２６ａのトレイ２の移動方向における両壁面に対向することとなる。【００９８】
そして、トレイ２は、隙間Ｈ５だけ同図矢印Ｅ方向と反対方向に移動して、このトレイ２のガイド用リブ２２がガイド部材４３ａ，４３ｃ，４３ｅと接触する。これにより、トレイ２のディスク装置１−５に対する位置決めが行われ、カートリッジ５に収納されたディスクＤ１の再生記録が可能となる。【００９９】
これらにより、上記実施例１と同様に、カートリッジ押さえ装置３により、カートリッジ５のトレイ２に対する移動を抑制することができ、トレイ２のディスク装置１−５に対する移動を抑制することができる。これにより、簡単な構成で、ディスクＤ１の記録再生時に、カートリッジ５のディスクＤ１に対する移動が抑制され、ディスクＤ１とのクリアランスを確保することができる。【０１００】
なお、ベアディスクＤ２がトレイ２に載置されている場合に、トレイ２がディスク再生位置に位置している際には、図１６に示すように、押さえピン３２が押さえ用リブ２５と接触し、このトレイ２をカートリッジ側から押圧する。【０１０１】
これにより、ディスク装置１−５は、トレイ２にカートリッジ５に格納されているディスクＤ１、ベアディスクＤ２のいずれが載置されていても、ディスクＤ１，Ｄ２の再生記録を行うことができる。切欠部２７は、トレイ２のカートリッジ載置側の反対側に形成されているので、このトレイ２のカートリッジ載置側に切欠部２７を形成するために、例えば、実施例１に示す押さえ用リブ２３のように、トレイ２に載置されたカートリッジ５までの高さよりも高い押さえ用リブを設ける必要がない。従って、トレイ２の厚みを薄くすることができる。【０１０２】
以上のように、この実施例１〜５にかかるディスク装置は、少なくともカートリッジ５に収納されたディスクＤ１に記録された情報の再生およびディスクＤ１への情報の記録を行うディスク装置１−１〜１−５において、切欠部２３ａ，２３ｂ，２３ｄ，２６ａ，２７が形成され、カートリッジ５を載置するカートリッジ載置位置から載置されたカートリッジ５に収納されたディスクＤ１の再生記録を行うディスク再生位置までを移動するトレイ２と、ディスク再生位置時にこのカートリッジ５をカートリッジ載置側から押圧するカートリッジ押さえ装置３，６と、カートリッジ押さえ装置３，６によるカートリッジ５の押圧に伴って、切欠部２３ａ，２３ｂ，２３ｄ，２６ａ，２７に入り込み、この切欠部２３ａ，２３ｂ，２３ｄ，２６ａ，２７のトレイ２の移動方向における両壁面に対向するトレイ移動規制手段である押さえピン３２あるいは規制ピン３５を備えることで、カートリッジ押さえ装置３，６により、カートリッジ５のトレイ２に対する移動およびトレイ２のディスク装置１−１〜１−５に対する移動を抑制することができる。
【産業上の利用可能性】
【０１０３】
以上のように、この発明にかかるディスク装置は、カートリッジに収納されたディスクおよびカートリッジに収納されていないディスクのいずれにも用いることができるディスク装置に有用であり、特に、カートリッジ押さえ装置により、カートリッジのトレイに対する移動およびトレイのディスク装置に対する移動を抑制するのに適している。
【図１】
2007058166.tif 000003
【図２】
2007058166.tif 000004
【図３】
2007058166.tif 000005
【図４】
2007058166.tif 000006
【図５】
2007058166.tif 000007
【図６】
2007058166.tif 000008
【図７】
2007058166.tif 000009
【図８】
2007058166.tif 000010
【図９】
2007058166.tif 000011
【図１０】
2007058166.tif 000012
【図１１】
2007058166.tif 000013
【図１２】
2007058166.tif 000014
【図１３】
2007058166.tif 000015
【図１４】
2007058166.tif 000016
【図１５】
2007058166.tif 000017
【図１６】
2007058166.tif 000018
【図１７】
2007058166.tif 000019
【図１８】
2007058166.tif 000020
【図１９】
2007058166.tif 000021
【手続補正書】
【提出日】平成19年5月25日(2007.5.25)
【手続補正１】
【補正対象書類名】特許請求の範囲
【補正対象項目名】全文
【補正方法】変更
【補正の内容】
【特許請求の範囲】
【請求項１】
少なくともカートリッジ（５）に収納されたディスク（Ｄ１）に記録された情報の再生あるいは当該ディスク（Ｄ１）への情報の記録の少なくともいずれか一方を行うディスク装置（１−１；１−２；１−３；１−４；１−５）において、
切欠部（２３ａ，２３ｂ，２３ｄ，２６ａ，２７）が形成され、前記カートリッジ（５）を載置するカートリッジ載置位置から当該載置されたカートリッジ（５）に収納されたディスク（Ｄ１）の再生記録を行うディスク再生位置までを移動するトレイ（２）と、
前記ディスク再生位置時に当該カートリッジ（５）をカートリッジ載置側から押圧するカートリッジ押さえ装置（３，６）と、
前記カートリッジ押さえ装置（３，６）による前記カートリッジ（５）の押圧に伴って、前記切欠部（２３ａ，２３ｂ，２３ｄ，２６ａ，２７）に入り込み、当該切欠部（２３ａ，２３ｂ，２３ｄ，２６ａ，２７）の前記トレイ（２）の移動方向における両壁面に対向するトレイ移動規制手段（３２，３５，４５，６２）と、
を備え、
前記切欠部（２６ａ）は、前記トレイ（２）のカートリッジ載置側と反対側に形成されており、
前記カートリッジ押さえ装置（３）は、
前記トレイ（２）の側面に対向する位置に配置され、当該トレイ（２）に向かって回転自在に支持されたアーム部材（３１）と、
前記アーム部材（２６ａ）に設けられ、当該アーム部材（３１）の回転により回転する押さえピン（３２）と、
前記押さえピン（３２）を前記トレイ（２）に向かう方向に回転させるアーム回転手段（３３）と、
により構成され、
前記トレイ移動規制手段が、前記アーム部材（３１）に設けられ、当該アーム部材（３１）の回転により前記切欠部（２６ａ）に入り込む規制ピン（３５）であることを特徴とするディスク装置（１−１；１−２；１−３；１−４；１−５）。
【請求項２】
前記トレイ（２）は、前記カートリッジ載置位置から前記ディスク再生位置まで、カートリッジ（５）に収納されていないディスク（Ｄ２）を載置して移動することができ、
前記カートリッジ押さえ装置（３，６）は、前記トレイ（２）にカートリッジ（５）に収納されていないディスク（Ｄ２）が載置されている場合における前記ディスク再生位置時に、当該トレイ（２）を前記カートリッジ載置側から押圧することを特徴とする請求項１に記載のディスク装置（１−１；１−２；１−３；１−４；１−５）。
【請求項３】
前記トレイ移動規制手段（３２）は、前記カートリッジ押さえ装置（３）による前記カートリッジ（５）の押圧に伴って、前記切欠部（２３ｂ）に入り込み、当該切欠部（２３ｂ）の前記ディスク再生位置側の壁面（２３ｃ）を前記カートリッジ載置位置側から当該ディスク再生位置側に押圧することを特徴とする請求項１または２に記載のディスク装置（１−２）。
【請求項４】
前記トレイ（２）に前記カートリッジ載置位置から前記ディスク再生位置までを移動させるトレイ移動手段をさらに備え、
前記トレイ移動規制手段（３２，３５，４５，６２）は、前記トレイ移動手段により、前記トレイ（２）の移動に連動して、前記切欠部（２３ａ，２３ｂ，２３ｄ，２６ａ，２７）に入り込むことを特徴とする請求項１〜３のいずれか１つに記載のディスク装置（１−１；１−２；１−３；１−４；１−５）。
【手続補正２】
【補正対象書類名】明細書
【補正対象項目名】０００３
【補正方法】変更
【補正の内容】
【０００３】
置するカートリッジ載置位置から当該載置されたカートリッジに収納されたディスクの再生記録を行うディスク再生位置までを移動するトレイと、前記ディスク再生位置時に当該カートリッジを当該カートリッジ載置側から押圧するカートリッジ押さえ装置と、前記カートリッジ押さえ装置が前記カートリッジを当該カートリッジ載置側から押圧する際に、前記切欠部に入り込み、当該切欠部の前記トレイの移動方向における壁面と対向するトレイ移動規制手段と、を備え、前記切欠部は、前記トレイのカートリッジ載置側と反対側に形成されており、前記カートリッジ押さえ装置は、前記トレイの側面に対向する位置に配置され、当該トレイに向かって回転自在に支持されたアーム部材と、前記アーム部材に設けられ、当該アーム部材の回転により回転する押さえピンと、前記押さえピンを前記トレイに向かう方向に回転させるアーム回転手段と、により構成され、前記トレイ移動規制手段が、前記アーム部材に設けられ、当該アーム部材の回転により前記切欠部に入り込む規制ピンであることを特徴とする。
発明の効果
［００１０］
本発明にかかるディスク装置は、カートリッジ押さえ装置により、カートリッジのトレイに対する移動およびトレイのディスク装置に対する移動を抑制することができるという効果を奏する。
図面の簡単な説明
［００１１］
［図１］図１は、実施例１にかかるディスク装置の構成例（平面図）を示す図である。
［図２］図２は、実施例１にかかるディスク装置の構成例（側面図）を示す図である。
［図３］図３は、カートリッジ載置時におけるディスク装置の構成例（要部側面図）を示す図である。
［図４］図４は、カートリッジ搬入時におけるディスク装置の構成例（平面図）を示す図である。
［図５］図５は、カートリッジ搬入時におけるディスク装置の構成例（側面図）を示す図である。
［図６］図６は、実施例２にかかるディスク装置の構成例（側面図）を示す図である。
［図７］図７は、カートリッジ載置時におけるディスク装置の構成例（要部側面図）を示す図である。
［図８］図８は、カートリッジ搬入時における押圧前のディスク装置の構成例（側面図）を示す図である。
［図９］図９は、カートリッジ搬入時におけるディスク装置の構成例（側面図）を示す図である。
［図１０］図１０は、実施例３にかかるディスク装置の構成例（側面図）を示す図である。
［図１１］図１１は、カートリッジ載置時におけるディスク装置の構成例（要部側面図）を示
【手続補正３】
【補正対象書類名】明細書
【補正対象項目名】０００８
【補正方法】変更
【補正の内容】
【０００８】
動に連動して、切欠部に入り込む。
［００２１］
この実施の形態４に係るディスク装置では、上記構成を特徴とすることで、トレイ移動規制手段を切欠部に入り込ませるために、このトレイ移動規制手段を移動させる移動手段を新たに備える必要がない。従って、簡単な構成で、カートリッジ押さえ装置により、トレイのディスク装置に対する移動を抑制することができる。
［００２４］
〔実施の形態６〕
この実施の形態６に係るディスク装置は、上記実施の形態１〜４のいずれか１つに係るディスク装置において、カートリッジ押さえ装置は、アーム部材と、押さえピンと、アーム回転手段とを備える。アーム部材は、トレイの側面に対向する位置に配置され、このトレイに向かって回転自在に支持されている。押さえピンは、このアーム部材に設けられ、アーム部材の回転により回転する。アーム回転手段は、この押さえピンをこのトレイに向かう方向に回転させる。トレイの切欠部は、トレイのカートリッジ載置側と反対側に形成されている。トレイ移動規制手段は、アーム部材に設けられ、このアー
【国際調査報告】
2007058166.tif 000022
2007058166.tif 000023